(57)【要約】【課題】特売オペレーションによる効果検証において良好な操作環境を提供する。【解決手段】データ編集装置は、入力受付手段と、データ集計手段と、予測算出手段と、グラフ表示手段と、を備える。前記入力受付手段は、商品の購買に係る各種項目を含む商品データを表示するデータ表示エリアを有している編集画面を外部装置に表示させて入力を受け付ける。前記データ集計手段は、前記データ表示エリアに表示される前記商品データにおける購買に係る項目の実績値を集計する。前記予測算出手段は、前記データ表示エリアに表示される前記商品データにおける前記購買に係る項目の実績値に基づいて現在以降の所定期間内における購買に係る項目の予測値を算出する。前記グラフ表示手段は、前記予測算出手段によって過去に予測した前記予測値と当該予測値に対応する前記実績値とについてグラフ化して前記外部装置に表示する。【選択図】図１７
2014153885.tif 000002
【特許請求の範囲】
【請求項１】
商品の購買に係る各種項目を含む商品データを表示するデータ表示エリアを有している編集画面を外部装置に表示させて入力を受け付ける入力受付手段と、
前記データ表示エリアに表示される前記商品データにおける購買に係る項目の実績値を集計するデータ集計手段と、
前記データ表示エリアに表示される前記商品データにおける前記購買に係る項目の実績値に基づいて現在以降の所定期間内における購買に係る項目の予測値を算出する予測算出手段と、
前記予測算出手段によって過去に予測した前記予測値と当該予測値に対応する前記実績値とについてグラフ化して前記外部装置に表示するグラフ表示手段と、
を備えることを特徴とするデータ編集装置。
【請求項２】
前記グラフ表示手段は、前記予測値と前記実績値とについて、グラフの種類を変えて視覚的に区別して表示する、
ことを特徴とする請求項１記載のデータ編集装置。
【請求項３】
前記グラフ表示手段は、前記実績値については棒グラフで表示する、
ことを特徴とする請求項２記載のデータ編集装置。
【請求項４】
前記グラフ表示手段は、前記予測算出手段で前記予測値の算出に用いる変動因子の変動をグラフ化して表示する、
ことを特徴とする請求項１ないし３のいずれか一記載のデータ編集装置。
【請求項５】
前記グラフ表示手段は、複数の前記商品についての前記予測値および前記実績値をグラフ表示する際には、前記変動因子についてはグラフ表示しない、
ことを特徴とする請求項４記載のデータ編集装置。
【請求項６】
コンピュータを、
商品の購買に係る各種項目を含む商品データを表示するデータ表示エリアを有している編集画面を外部装置に表示させて入力を受け付ける入力受付手段と、
前記データ表示エリアに表示される前記商品データにおける購買に係る項目の実績値を集計するデータ集計手段と、
前記データ表示エリアに表示される前記商品データにおける前記購買に係る項目の実績値に基づいて現在以降の所定期間内における購買に係る項目の予測値を算出する予測算出手段と、
前記予測算出手段によって過去に予測した前記予測値と当該予測値に対応する前記実績値とについてグラフ化して前記外部装置に表示するグラフ表示手段と、
として機能させるためのプログラム。
【発明の詳細な説明】
【技術分野】
【０００１】
本発明の実施形態は、データ編集装置およびプログラムに関する。
【背景技術】
【０００２】
従来、商品毎の購買（売上）データが、ＰＯＳ（Point  of  Sales）システムの普及に伴って、容易に収集できるようになった。そして、このような商品毎の購買データは、小売店等の商品別の需要予測に用いられている。購買データを分析した需要予測は、例えば、発注量過多に起因する売れ残り商品の廃棄ロスの発生や、発注量過少に起因する商品の品切れによる機会ロスの発生の抑制に使用できる。そして、このような需要予測は、ＥＤＩ（Electronic  Data  Interchange）による企業間取引の電子化と結合され、自動発注システムにも用いられている。
【発明の概要】
【発明が解決しようとする課題】
【０００３】
ところで、スーパーマーケットなどの大規模小売店では、集客等のために特定の商品を日時限定で安価に提供する、所謂特売オペレーションが行われている。この特売オペレーションの効果の把握は、目視や経験的知識だけでは難しく、特に特売品が他の商品の購買をどれだけ誘発したか、店舗全体の売上にどれほど寄与したかを客観的に把握する必要がある。
【０００４】
上述したような特売オペレーションによる効果の予測として予測購買数や予測売上金額を算出することによって、特売オペレーションによる効果の検証を行うようにした場合においては、次のような問題がある。効果検証において表示される処理画面が、予測値と実績値との差が分かりにくく、必ずしもユーザにとって使い易いものとはなっていない、という問題である。
【課題を解決するための手段】
【０００５】
実施形態のデータ編集装置は、入力受付手段と、データ集計手段と、予測算出手段と、グラフ表示手段と、を備える。前記入力受付手段は、商品の購買に係る各種項目を含む商品データを表示するデータ表示エリアを有している編集画面を外部装置に表示させて入力を受け付ける。前記データ集計手段は、前記データ表示エリアに表示される前記商品データにおける購買に係る項目の実績値を集計する。前記予測算出手段は、前記データ表示エリアに表示される前記商品データにおける前記購買に係る項目の実績値に基づいて現在以降の所定期間内における購買に係る項目の予測値を算出する。前記グラフ表示手段は、前記予測算出手段によって過去に予測した前記予測値と当該予測値に対応する前記実績値とについてグラフ化して前記外部装置に表示する。
【図面の簡単な説明】
【０００６】
【図１】図１は、実施形態にかかる需要予測システムの構成を示すブロック図である。
【図２】図２は、コンピュータのモジュール構成図である。
【図３】図３は、需要予測装置を含んだ本部のシステム構成を示すブロック図である。
【図４】図４は、需要予測設定画面の一例を示す正面図である。
【図５】図５は、特売企画データの更新処理の流れを示すフローチャートである。
【図６】図６は、需要予測設定画面の一例を示す正面図である。
【図７】図７は、需要予測設定画面の一例を示す正面図である。
【図８】図８は、需要予測設定画面の一例を示す正面図である。
【図９】図９は、需要予測設定画面の一例を示す正面図である。
【図１０】図１０は、需要予測設定画面の一例を示す正面図である。
【図１１】図１１は、需要予測設定画面の一例を示す正面図である。
【図１２】図１２は、需要予測設定画面の一例を示す正面図である。
【図１３】図１３は、特売企画データの実績値比較処理の流れを示すフローチャートである。
【図１４】図１４は、需要予測設定画面の一例を示す正面図である。
【図１５】図１５は、需要予測設定画面の一例を示す正面図である。
【図１６】図１６は、特売企画データの実績値比較処理におけるグラフ表示の流れを示すフローチャートである。
【図１７】図１７は、グラフ表示画面の一例を示す正面図である。
【図１８】図１８は、グラフ表示画面の他の一例を示す正面図である。
【図１９】図１９は、グラフ表示画面の他の一例を示す正面図である。
【図２０】図２０は、グラフ表示画面の他の一例を示す正面図である。
【図２１】図２１は、グラフ表示画面の他の一例を示す正面図である。
【発明を実施するための形態】
【０００７】
図１は、実施形態にかかる需要予測システム１の構成を示すブロック図である。図１に示すように、需要予測システム１は、有線または無線の通信回線２を介して相互に電気的に接続された複数のコンピュータ３で形成される本部システムに対して、複数の本部特売企画端末１２４や各店舗に設けられた店舗発注端末１２５が有線または無線の通信回線（例えば、インターネットやＬＡＮ等）５を介して接続されている。
【０００８】
本実施形態の需要予測システム１では、一つまたは複数のコンピュータ３が、所定のサービス（アプリケーション）を提供するアプリケーションサーバ、またはデータベースサーバとして機能する。また、本部特売企画端末１２４や店舗発注端末１２５は、サービスを享受するクライアントとして機能する。この需要予測システム１は、例えばＳａａＳ（Software  as  a  Service）の形態でサービス（アプリケーション）を提供する。なお、需要予測システム１は、サーバクライアントの形態であっても良い。
【０００９】
また、本部システムは、複数のＰＯＳ（Point  of  Sales）端末１３０を接続する店舗サーバ１２０を有線または無線の通信回線（例えば、インターネットやＬＡＮ等）５を介して接続している。
【００１０】
上述したようなコンピュータ３、本部特売企画端末１２４、店舗発注端末１２５は、一般的なパーソナルコンピュータである。なお、本部特売企画端末１２４や店舗発注端末１２５については、タブレット端末であっても良い。ここでは、コンピュータ３を例に説明する。図２は、コンピュータ３のモジュール構成図である。図２に示すように、コンピュータ３は、情報処理を行うＣＰＵ（Central  Processing  Unit）１０１、ＢＩＯＳなどを記憶した読出し専用メモリであるＲＯＭ（Read  Only  Memory）１０２、各種データを書換え可能に記憶するＲＡＭ（Random  Access  Memory）１０３を備えている。
【００１１】
また、コンピュータ３は、各種データベースとして機能するとともに各種のプログラムを記憶する記憶部であるＨＤＤ（Hard  Disk  Drive）１０４、記憶媒体１１０を用いて情報を保管したり外部に情報を配布したり外部から情報を入手するためのＤＶＤドライブ等の媒体読取装置１０５、各通信回線を介して外部の他の機器と通信により情報を伝達するための通信制御装置１０６、処理経過や結果等を操作者に表示するＬＣＤ（Liquid  Crystal  Display）等の表示部１０７、並びに操作者がＣＰＵ１０１に命令や情報等を入力するためのキーボードやマウス等のポインティングデバイスである入力部１０８等を備えている。
【００１２】
また、コンピュータ３においては、上述した各部間で送受信されるデータは、バスコントローラ１０９によって調停される。
【００１３】
このようなコンピュータ３では、オペレータが電源を投入するとＣＰＵ１０１がＲＯＭ１０２内のローダーというプログラムを起動させ、ＨＤＤ１０４よりＯＳ（Operating  System）というコンピュータのハードウェアとソフトウェアとを管理するプログラムをＲＡＭ１０３に読み込み、このＯＳを起動させる。このようなＯＳは、オペレータの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００１４】
すなわち、ＨＤＤ１０４に記憶されているアプリケーションプログラムの違いによって、パーソナルコンピュータは、クライアントとして機能する本部特売企画端末１２４や店舗発注端末１２５、コンピュータ３（アプリケーションサーバまたはデータベースサーバ）としてそれぞれ機能することになる。
【００１５】
例えば、本部特売企画端末１２４や店舗発注端末１２５には、アプリケーションプログラムとして、ウェブブラウザや、ウェブブラウザに対してプラグイン形式を用いて提供されるプラグインがインストールされている。プラグインのうち代表的なものとして、Microsoft  Silverlight（商標）が挙げられる。Microsoft  Silverlightは、インストール後はブラウザ上でアニメーション、グラフィックスの表示や音声・動画再生などを行うフレームワークである。
【００１６】
また、一般的には、コンピュータ３のＨＤＤ１０４にインストールされるアプリケーションプログラムは、ＣＤ−ＲＯＭやＤＶＤなどの各種の光ディスク、各種光磁気ディスク、フレキシブルディスクなどの各種磁気ディスク、半導体メモリ等の各種方式のメディア等の記憶媒体１１０に記憶され、この記憶媒体１１０に記憶された動作プログラムがＨＤＤ１０４にインストールされる。このため、ＣＤ−ＲＯＭやＤＶＤ等の光情報記録メディアやＦＤ等の磁気メディア等の可搬性を有する記憶媒体１１０も、アプリケーションプログラムを記憶する記憶媒体となり得る。さらには、アプリケーションプログラムは、例えば通信制御装置１０６を介して外部から取り込まれ、ＨＤＤ１０４にインストールされても良い。
【００１７】
コンピュータ３は、ＯＳ上で動作するアプリケーションプログラムが起動すると、このアプリケーションプログラムに従い、ＣＰＵ１０１が各種の演算処理を実行して各部を集中的に制御する。
【００１８】
以下において、本部システムを構成する各コンピュータ３の各ＣＰＵ１０１がアプリケーションプログラムにより実行する各種の演算処理のうち、本実施形態の特長的な処理である需要予測処理について説明する。
【００１９】
ここで、図３は需要予測装置１００を含んだ本部のシステム構成を示すブロック図である。図３に示すように、本部システムを構成する各コンピュータ３のＣＰＵ１０１は、アプリケーションプログラムを実行することにより、データ編集装置である需要予測装置１００、特売企画支援システム１２１、発注数決定支援システム１２２、発注システム１２３を実現する。
【００２０】
発注数決定支援システム１２２はサブシステムともいうべきものであり、各端末と接続され、各担当者と本部の需要予測装置１００とをつなぐインタフェースとして機能する。
【００２１】
特売企画支援システム１２１は、特売企画を支援するために構築されたシステムであり、特売の企画を行う複数の本部特売企画端末１２４と接続されている。特売企画とは、例えば、スーパーマーケットの本部において、商品カテゴリー別のバイヤーの特売企画担当者としての業務とする。そして、本部特売企画端末１２４は、過去実績や推奨情報を参照した特売企画担当者から、特売企画における、特売対象となる商品を示す特売品コード（名称）、特売価格、特売日、ちらし掲載、企画種類、陳列位置等の販促データの入力を受け付ける。そして、特売企画支援システム１２１は、需要の予測を行う際に、これら入力された情報を、需要予測装置１００の入力受付部１１４に出力する。
【００２２】
また、発注数決定支援システム１２２は、特売品および通常価格で販売される定番品の発注数を決定する複数の店舗発注端末１２５と接続されている。店舗発注端末１２５は、店舗の発注担当者が特売品および定番品の発注数を過去実績や推奨情報を参照して入力するものである。そして、発注数決定支援システム１２２は、各店舗の店舗発注端末１２５と通信等を行うことで、各店舗の発注数を決定するためのシステムとする。発注システム１２３は、発注数決定支援システム１２２で決定された全店舗の発注数に従って、商品の製造、販売等をしている業者に対して、商品の発注を要求するシステムとする。
【００２３】
発注システム１２３は、需要予測装置１００と連携する外部システムであって、特売品および定番品の商品コード、発注数、納品日、仕入れ価格等の発注データを受取り、卸、メーカ等に送信する。
【００２４】
需要予測装置１００は、記憶部１１１と、データ集計手段として機能するデータ集計部１１２と、予測算出手段として機能する予測算出部１１３と、入力受付手段として機能する入力受付部１１４と、グラフ表示手段として機能するグラフ表示部１１５とを備える。
【００２５】
記憶部１１１は、ＰＯＳデータデータベースと、発注データデータベースと、廃棄データデータベースと、企画マスタデータベースと、商品マスタデータベースと、発注マスタデータベースと、気象データデータベースと、を備える。また、記憶部１１１は、需要予測装置１００のみならず、他の端末やシステムで利用される情報も管理する。また、記憶部１１１は、需要予測装置１００に内蔵されるのみならず、データベースサーバとして需要予測装置１００と異なる構成として外部に設けられるものであっても良い。
【００２６】
ＰＯＳデータデータベースは、レシート明細等に対して掲載される各店舗のＰＯＳデータを管理する。発注データデータベースは、各店舗の商品の発注データを管理する。廃棄データデータベースは、各店舗の商品の廃棄データを管理する。
【００２７】
商品マスタデータベースは、商品コード、商品名、商品分類等の商品基本データを管理する。企画マスタデータベースは、特売品コード、特売価格、特売日、ちらし掲載等の特売企画データを管理する。発注マスタデータベースは、商品コード、発注ロット等の発注基本データを管理する。
【００２８】
気象データデータベースは、気温、湿度、降水量等の気象過去データおよび気象予報データを記憶する。
【００２９】
このように複数の店舗の業務を統括する小売企業の本部において、記憶部１１１の各データベースが、各店舗や本部が必要とする情報を一括管理する。
【００３０】
データ集計部１１２は、各店舗から送信されるＰＯＳデータ、発注データ、廃棄データ等を集計して、ＰＯＳデータデータベース、発注データデータベース、廃棄データデータベースにそれぞれ記憶する。例えば、データ集計部１１２は、各店舗の閉店後に日集計処理を実行する。また、データ集計部１１２は、各気象過去データおよび気象予報データを収集して、気象データデータベースに記憶する。
【００３１】
予測算出部１１３は、記憶部１１１に記憶されたＰＯＳデータ、及び特売企画データなどの変動因子となるデータに基づいて、商品毎に、上述した過去の所定期間より後の、換言すれば現在以降の所定期間内に購買される可能性のある購買数を示した予測購買数を算出する。
【００３２】
入力受付部１１４は、発注数決定支援システム１２２や特売企画支援システム１２１等から、将来における変動因子となるデータの入力を受け付ける。そして、入力を受け付けた変動因子となるデータから導き出されたベクトル（例えば、販売価格、曜日、休日、気温、降水量、地域イベント、ちらし掲載の有無等）を、予測算出部１１３に設定することで、特売企画等に基づいた予測購買数の算出を行うことができる。
【００３３】
入力受付部１１４は、編集画面である需要予測設定画面５０（図４参照）を生成し、この需要予測設定画面５０を外部装置である本部特売企画端末１２４や店舗発注端末１２５に対して送信する。
【００３４】
グラフ表示部１１５は、予測算出部１１３によって過去に予測した予測値と当該予測値に対応する実績値とについてグラフ化して表示する。
【００３５】
ここで、図４は需要予測設定画面５０の一例を示す正面図である。図４に示すように、需要予測設定画面５０は、基本情報エリア５１、取得／表示データ選択エリア５２、データ表示エリア５３、計算モードボタンエリア５４、詳細表示ボタンエリア５５、データ操作ボタンエリア５６、データ取得（削除）ボタンエリア５７、ナビゲートボタンエリア５８、スクロールバー５９を含む。
【００３６】
基本情報エリア５１には、システム日付（営業日）、リストから選択された修正対象予測データの取得グループ及び店舗、リストから選択された修正対象予測データの取得期間、特売企画の企画ナンバーおよび企画名称などが表示される。
【００３７】
取得／表示データ選択エリア５２には、所望のデータ取得およびデータ表示を宣言するためのボタンが配設される。企画種類選択ボタン５２１には、特売、Ｍ＆Ｍ、集計、企画などのボタンが表示される。販売日選択ボタン５２２には、予測期間の全日付とデータ表示エリア５３のデータにある販売日に対応するボタンが表示される。部門選択ボタン５２３には、商品分類カテゴリー（レベル３：部門）に対応するボタンが表示される。ライン選択ボタン５２４には、商品分類カテゴリー（レベル２：ライン）に対応するボタンが表示される。クラス選択ボタン５２５には、商品分類カテゴリー（レベル１：クラス）に対応するボタンが表示される。なお、各選択ボタン５２１〜５２５には、全てのデータの抽出・表示を可能にする、全選択ボタン６０が設けられている。なお、取得／表示データ選択エリア５２の各選択ボタン５２１〜５２５に表示されるボタンは、データ表示エリア５３の対象列から生成される。
【００３８】
データ表示エリア５３には、主要な表示項目として、「規格名」「販売日」「定番原価」「定番売価」「直近特売原価」「特売原価」「推奨売価」「修正売価」「企画種類」「陳列位置」「企画確定」「購買変化」「購買予測値」「売上変化」「売上予測値」「利益変化」等の各種項目を有しているデータ（例えば、特売企画データ）が表示される。
【００３９】
計算モードボタンエリア５４には、データ表示エリア５３の表示項目、編集可能項目の変更を宣言するためのボタンが配設される。企画モードボタン５４１は、特売企画の修正と確定を宣言するためのボタンである。売価や企画種類等の変更に用いられる。発注モードボタン５４２は、特売が企画された商品に対しての発注数の修正と確定を宣言するためのボタンである。分析モードボタン５４３は、異常予測確度抽出、因子選択に使用するためのボタンである。追加モードボタン５４４は、商品マスタデータベースからの商品追加、新規商品入力などに使用するためのボタンである。なお、企画モードボタン５４１、発注モードボタン５４２、分析モードボタン５４３、追加モードボタン５４４は、単一選択のみ可能となっている。
【００４０】
詳細表示ボタンエリア５５には、データ表示エリア５３の表示項目を主要項目表示から関連全項目表示に切り替えるためのボタンが配設される。企画詳細ボタン５５１は、特売割引、Ｍ＆Ｍ、企画ナンバー、企画名称等を表示項目とする。陳列詳細ボタン５５２は、少量陳列数、平均陳列数、大量陳列数等を表示項目とする。予測詳細ボタン５５３は、利益予測、予測確度等を表示項目とする。分類詳細ボタン５５４は、分類コード、商品コード等を表示項目とする。なお、企画詳細ボタン５５１、陳列詳細ボタン５５２、予測詳細ボタン５５３、分類詳細ボタン５５４は、複数選択可能となっている。
【００４１】
データ操作ボタンエリア５６には、データ表示エリア５３に対する操作を行うためのボタンが配設される。フィルタボタン５６１は、フィルタの設定を行うためのボタンである。店舗集計ボタン５６２は、店舗集計を行うためのボタンである。分類行ボタン５６３は、分類行の表示／非表示を切り替えるためのボタンである。一括確定ボタン５６４は、企画確定や発注承認（解除）を読み込んだ全ての未承認商品に対して施すためのボタンである。なお、フィルタボタン５６１、店舗集計ボタン５６２、分類行ボタン５６３、一括確定ボタン５６４は、複数選択可能となっている。
【００４２】
データ取得（削除）ボタンエリア５７には、データ表示エリア５３に対する操作をダイアログボックスから行うためのボタンが配設される。企画選択ボタン５７１は、企画マスタデータベースから特売企画の企画ナンバーと企画期間などを取得し、予測期間にセットするためのボタンである。参照追加ボタン５７２は、参照データを全店舗、全期間から取得するためのボタンである。商品追加ボタン５７３は、商品マスタデータベースからの追加商品を読み込むためのボタンである。行削除ボタン５７４は、読み込んだ参照・追加データを店舗・期間・商品分類を指定して削除するためのボタンである。
【００４３】
ナビゲートボタンエリア５８には、編集ボタン５８１、全店更新ボタン５８２、発注ボタン５８３、配信ボタン５８４、取得ボタン５８５、更新ボタン５８６、グラフボタン５８７などが配設される。編集ボタン５８１は、表示されているデータ表示エリア５３のデータの編集を宣言するためのボタンである。全店更新ボタン５８２は、データ更新を全ての店舗データに対して行うことを宣言するためのボタンである。発注ボタン５８３は、発注数承認後にその発注データで発注を行うことを宣言するためのボタンである。配信ボタン５８４は、特売企画承認後にその特売企画データの配信を行うことを宣言するためのボタンである。取得ボタン５８５は、出力データを取得することを宣言するためのボタンである。更新ボタン５８６は、データ更新を行うことを宣言するためのボタンである。グラフボタン５８７は、グラフ表示を宣言するためのボタンである。
【００４４】
次に、需要予測設定画面５０を用いた企画モードにおける特売企画データの更新処理の流れについて図５のフローチャートを参照しつつ説明する。
【００４５】
図５に示すように、入力受付部１１４は、まず、店舗や日付などの基本情報、対象となる特売企画データなどを選択させる（ステップＳ１）。
【００４６】
入力受付部１１４は、図６に示す需要予測設定画面５０の初期画面を表示させ、基本情報エリア５１において企画ナンバーおよび企画名称以外の取得グループ及び店舗、日付（営業日）、予測期間などの各種情報を選択させて入力させる。なお、データ表示エリア５３にはデータが無い状態であるので、取得／表示データ選択エリア５２の各選択ボタン５２１〜５２５には、ボタンは表示されていない。
【００４７】
また、図６に示す需要予測設定画面５０の初期画面において計算モードボタンエリア５４の企画モードボタン５４１が操作されると、特売企画の修正が宣言され、データ取得（削除）ボタンエリア５７の企画選択ボタン５７１が操作可能な状態となる。
【００４８】
次いで、企画選択ボタン５７１が操作されると、図７に示すように需要予測設定画面５０のデータ表示エリア５３に重なった状態で企画選択画面７０がポップアップ表示される。企画選択画面７０には、特売企画データ毎に企画ナンバー、企画名称、企画期間などが表示される。企画選択画面７０に表示された企画データの中から任意の企画ナンバーが選択され、ＯＫボタン７１が操作されると、企画ナンバーおよび企画名称が基本情報エリア５１にセットされる。
【００４９】
続いて、図５に示すように、入力受付部１１４は、対象となる特売企画データを取得する（ステップＳ２）。
【００５０】
図７に示す需要予測設定画面５０において、ナビゲートボタンエリア５８の取得ボタン５８５を操作すると、入力受付部１１４は、直ちに企画ナンバーに応じた集計データの取得を開始する。集計データの取得処理が終了すると、図８に示すように需要予測設定画面５０のデータ表示エリア５３には取得された集計データが表示される。また、データ表示エリア５３にはデータが有る状態となるので、取得／表示データ選択エリア５２の各選択ボタン５２１〜５２５には、データ表示エリア５３内のデータに対応した全てのボタンが表示される。
【００５１】
このようにすることで、インターネットを介して大規模データを送信する場合に、必要最小限のデータに絞り込むことができるので、データ送信時間を短縮することができる。
【００５２】
続いて、集計データの取得終了後、編集用データの取得を開始する。まず、データ抽出条件の絞り込みを行う。データ抽出条件の絞り込みは、取得／表示データ選択エリア５２の各選択ボタン５２１〜５２５に表示されたボタンを操作することにより行う。各選択ボタン５２１〜５２５に表示された所望のデータ抽出条件（販売日、企画種類、部門等）のボタンを選択操作して、ナビゲートボタンエリア５８の取得ボタン５８５を操作すると、データ抽出条件（販売日、企画種類、部門等）に一致するデータが企画マスタデータベースから取得され、図９に示すように取得されたデータが需要予測設定画面５０のデータ表示エリア５３に表示される。
【００５３】
図９に示す需要予測設定画面５０において、取得／表示データ選択エリア５２の各選択ボタン５２１〜５２５に表示されたボタンは、取得されたデータに対応するので、抽出された条件以外のボタンは表示されない。また、取得／表示データ選択エリア５２の各選択ボタン５２１〜５２５に表示されたボタンの操作によって、データ抽出条件をさらに絞り込んでのデータの再取得も可能である。例えば、部門のみならず、ラインやクラスもデータ抽出条件とするなどである。
【００５４】
なお、取得ボタン５８５が操作された際には、データ抽出条件がＲＡＭ１０３上の記憶領域に記憶される。後述するデータ編集時の更新の際の再取得で使用するためである。
【００５５】
このようにしてデータ抽出条件絞り込み後の対象となる特売企画データの取得が終了した状態で、ナビゲートボタンエリア５８の編集ボタン５８１を操作すると、データ編集が可能な状態になる。
【００５６】
続いて、図５に示すように、入力受付部１１４は、対象となる特売企画データに対する編集処理を実行する（ステップＳ３）。
【００５７】
データ編集の一例について説明する。図１０の需要予測設定画面５０に示すように、データ表示エリア５３に表示される特売企画データの編集可能列については、星印などのマークＭ１を付すことで区別して表示している。このようにマークＭ１を付することによって編集可能な項目が一目でわかるようになっている。なお、マークＭ１を付するものに限るものではなく、特売企画データの編集可能列について、配色を変えることによって区別して表示するようにしても良い。
【００５８】
本実施形態においては、図１０に示すように、特売企画データの編集可能列として、「特売原価」、「修正売価」、「企画種類」、「陳列位置」等が設定されている。「特売原価」、「修正売価」等は、数値入力により変動因子となるデータの入力を受け付ける。修正値が優先され、固定データとして扱われる。また、「企画種類」、「陳列位置」等は、選択リストの中から所望の文字列を選択することにより変動因子となるデータの入力を受け付ける。
【００５９】
また、本実施形態においては、取得／表示データ選択エリア５２の各選択ボタン５２１〜５２５に表示されたボタンを操作することにより、表示データを絞り込むことも可能になっている。例えば、ライン選択ボタン５２４に表示される一つのボタンを操作することによって、操作されたボタンに対応する商品分類カテゴリー（レベル２）のデータだけが表示される。
【００６０】
このようにすることで、需要予測設定画面５０のデータ表示エリア５３に表示されるデータを更に絞り込むことができるので、画面生成時間を短縮することができる。また、タブレット端末のような小面積の画面を有している携帯機器を需要予測設定画面５０の表示対象機器とするような場合であっても、スクロール量や移動量を少なくすることができるので、良好なユーザビリティを提供することができる。
【００６１】
上述のようにして特売企画データの編集のためのデータ入力の完了後、ナビゲートボタンエリア５８の更新ボタン５８６を操作すると、図５に示すように、予測算出部１１３は、修正された特売企画データをＲＡＭ１０３上の出力テーブルに書き込み、予測計算を実行する（ステップＳ４）。ここで、出力テーブルに書き込まれるのは、入力値、入力文字列および当該入力文字列に対応するコードである。
【００６２】
なお、基本情報エリア５１の「店舗」が「合計」になっている場合には、本部の担当バイヤーの特売企画修正を想定しているので、ナビゲートボタンエリア５８の全店更新ボタン５８２を操作すると、修正した特売企画データで企画対象となっている各店舗の特売企画データを更新することができる。
【００６３】
更新（再予測計算）後、特売企画データが再取得されるが、そのときのデータ抽出条件は先にＲＡＭ１０３上の記憶領域に記憶したデータ取得時のデータ抽出条件を用いる。取得したデータは、更新前の選択ボタンの条件に従い、データ表示エリア５３の表示開始行も更新前の値で再表示する。
【００６４】
更新（再予測計算）後、図１１に示すように、需要予測設定画面５０には、更新された「購買予測値」、「売上予測値」、「利益予測値」（図示せず）が表示される。なお、企画条件を変更しない商品についても、相互作用によって各予測値が変化する。
【００６５】
また、図１１に示す需要予測設定画面５０には、推奨値に対する予測値である購買初期予測値、売上初期予測値、利益初期予測値からの変化量を抽象化して表すマークＭ２も「購買変化」「売上変化」「利益変化」等に表示される。本実施形態においては、矢印の向きと数とによって変化量を表している。下向きの矢印は「減少」を表し、上向きの矢印は「増加」を表している。なお、変化量を表すマークＭ２を表示するものに限るものではなく、「購買変化」「売上変化」「利益変化」等の行における配色で変化量を抽象化して表すようにしても良い。例えば、予測結果として購買予測値、売上予測値、利益予測値が増加した場合は青色、減少した場合は赤色で表示するようにしても良い。
【００６６】
このように予測結果の購買予測値、売上予測値、利益予測値の増減（変化量）に応じてデータ表示エリア５３内の行の態様を変えることで、予測結果を容易に判別することができる。
【００６７】
次いで、図５に示すように、入力受付部１１４は、予測結果を採用するか否かを判定する（ステップＳ５）。
【００６８】
予測結果が期待していたものではない場合、ナビゲートボタンエリア５８の編集ボタン５８１の操作があったと判断すると（ステップＳ５のＮｏ）、入力受付部１１４は、ステップＳ３に戻って再度データ編集が可能な状態にする。
【００６９】
一方、予測結果が期待していたものである場合には、データ操作ボタンエリア５６の一括確定ボタン５６４の操作があったと判断すると（ステップＳ５のＹｅｓ）、図１２の需要予測設定画面５０に示されるように、選択されている確定可能な全ての行を「確定」にすることができる（ステップＳ６）。ここで、確定可能な行とは、データ表示エリア５３の「企画確定」が空白な行である。このようにして企画データを一括確定することで、企画対象の全店舗の出力データの値が書き換えられる。これにより、商品ごとに確定しなければならなかったのが一括確定できることにより、ユーザの手間を大幅に省くことができる。
【００７０】
最後に、図５に示すように、入力受付部１１４は、特売企画データの確定後、ナビゲートボタンエリア５８の配信ボタン５８４の操作があったと判断すると、特売企画データを特売企画支援システム１２１に配信する（ステップＳ７）。
【００７１】
次に、需要予測設定画面５０を用いた企画モードにおける特売企画データの実績値比較処理の流れについて図１３のフローチャートを参照しつつ説明する。特売企画データの実績値比較処理は、特売が企画された単品についての実績値を過去の予測値と比較する処理である。
【００７２】
図１３に示すように、入力受付部１１４は、まず、店舗や日付などの基本情報、対象となる特売企画データなどを選択させ（ステップＳ１１）、対象となる特売企画データを取得する（ステップＳ１２）。
【００７３】
入力受付部１１４は、図６に示す需要予測設定画面５０の初期画面を表示させ、基本情報エリア５１において企画ナンバーおよび企画名称以外の取得グループ及び店舗、日付（営業日）、予測期間などの各種情報を選択させて入力させる。なお、データ表示エリア５３にはデータが無い状態であるので、取得／表示データ選択エリア５２の各選択ボタン５２１〜５２５には、ボタンは表示されていない。また、ここでは、特売企画データの実績値比較処理であるので、予測期間は過去の期間を選択する。
【００７４】
また、図６に示す需要予測設定画面５０の初期画面において計算モードボタンエリア５４の企画モードボタン５４１が操作され、上述したように企画ナンバーに応じた集計データの取得処理および編集用データの取得処理が終了すると、入力受付部１１４は、図１４に示すように取得されたデータを需要予測設定画面５０のデータ表示エリア５３に表示する（ステップＳ１３）。
【００７５】
このようにして過去期間を選択した特売企画データの取得が終了した状態で、入力受付部１１４は、詳細表示ボタンエリア５５の予測詳細ボタン５５３が操作されたことを検知すると（ステップＳ１４のＹｅｓ）、図１５に示すように過去の予測値と比較するために特売が企画された単品についての実績値（「購買点数実績値」（図示せず）、「売上金額実績値」Ｙ１、「利益金額実績値」Ｚ１）を需要予測設定画面５０のデータ表示エリア５３に表示する（ステップＳ１５）。
【００７６】
また、図１５に示す需要予測設定画面５０のデータ表示エリア５３においては、予測値と実績値との差分として、「購買点数残差」Ｘ２、「売上金額残差」Ｙ２、「利益金額残差」Ｚ２が表示される。さらに、図１５に示す需要予測設定画面５０のデータ表示エリア５３においては、特売が企画された単品についてのデータグリッド内の行に対して、「購買点数残差」Ｘ２、「売上金額残差」Ｙ２、「利益金額残差」Ｚ２の差分状況を視覚的に区別して表示させるようにしている。図１５に示す例においては、特売が企画された単品についてのデータグリッド内の行を、過去の予測値と実測値との差がプラスの場合には“青色”で表示し、過去の予測値と実測値との差がマイナスの場合には“赤色”で表示している。
【００７７】
このように、本実施形態のデータ編集装置によれば、商品の購買に係る各種項目を含む商品データを表示するデータ表示エリア５３を有している需要予測設定画面５０を本部特売企画端末１２４や店舗発注端末１２５に表示させて入力を受け付ける入力受付部１１４が、データ表示エリア５３に表示される商品データにおける購買に係る項目について実績値と過去の予測値との差分状況を、データ表示エリア５３において視覚的に区別して表示するようにした。これにより、データ表示エリアに表示される商品データにおける購買に係る項目について実績値と過去の予測値との差分状況を容易に判別することができるので、良好な操作環境を提供することができる。
【００７８】
次に、需要予測設定画面５０を用いた企画モードにおける特売企画データの実績値比較処理におけるグラフ表示の流れについて図１６のフローチャートを参照しつつ説明する。
【００７９】
図１６に示すように、グラフ表示部１１５は、まず、グラフ表示の対象となる単品毎の特売データが選択された状態で（ステップＳ２１）、ナビゲートボタンエリア５８のグラフボタン５８７が操作されたことを検知すると（ステップＳ２２のＹｅｓ）、図１７に示すようなグラフ表示画面８０を需要予測設定画面５０に表示する（ステップＳ２３）。
【００８０】
ここで、図１７は需要予測設定画面５０におけるグラフ表示画面８０の一例を示す正面図である。図１７に示すように、グラフ表示画面８０は、予測内容選択エリア８１、実績／予測表示選択エリア８２、売価表示チェックボックス８３、グラフ表示エリア８４、を含む。
【００８１】
予測内容選択エリア８１には、購買点数ボタン８１１、更新売上ボタン８１２、更新利益ボタン８１３、が配設される。購買点数ボタン８１１は、購買点数について実績値と過去の予測値との少なくともいずれか一方をグラフ表示するためのボタンである。更新売上ボタン８１２は、売上金額について実績値と過去の予測値との少なくともいずれか一方をグラフ表示するためのボタンである。更新利益ボタン８１３は、利益金額について実績値と過去の予測値との少なくともいずれか一方をグラフ表示するためのボタンである。
【００８２】
実績／予測表示選択エリア８２には、実績／予測ボタン８２１、実績ボタン８２２、予測ボタン８２３、が配設される。実績／予測ボタン８２１は、商品データにおける購買に係る項目（購買点数、売上金額、利益金額）について実績値と過去の予測値とをグラフ表示するためのボタンである。実績ボタン８２２は、商品データにおける購買に係る項目（購買点数、売上金額、利益金額）について実績値をグラフ表示するためのボタンである。予測ボタン８２３は、商品データにおける購買に係る項目（購買点数、売上金額、利益金額）について過去の予測値をグラフ表示するためのボタンである。
【００８３】
売価表示チェックボックス８３は、グラフ表示エリア８４に対して変動因子の変動（本実施形態においては、売価の変動）を表示するか、売価の変動を表示しないかを決定するためのものである。
【００８４】
グラフ表示エリア８４は、上述した予測内容選択エリア８１と実績／予測表示選択エリア８２と売価表示チェックボックス８３とで決定された商品データにおける購買に係る項目について実績値と過去の予測値との少なくともいずれか一方をグラフ表示するエリアである。
【００８５】
本実施形態において、グラフ表示画面８０の初期画面は、図１７に示すように、選択された単品の購買点数についての実績値と過去の予測値とをグラフ表示エリア８４においてグラフ表示している。すなわち、初期状態では、予測内容選択エリア８１では購買点数ボタン８１１が選択され、実績／予測表示選択エリア８２では実績／予測ボタン８２１が選択されている。また、１単品選択時における初期状態では、売価表示チェックボックス８３にチェックが入っており、グラフ表示エリア８４に対して売価を表示するようになっている。
【００８６】
なお、図１７に示すように、グラフ表示画面８０は、選択された単品の実績値を棒グラフ、選択された単品の予測値を折れ線グラフでグラフ表示エリア８４に表示する。グラフ表示画面８０は、このような表示にすることで、実績値と過去の予測値との差分状況をわかりやすくしている。また、図１７に示すように、グラフ表示画面８０は、ユーザビリティを考慮し、１単品選択時には売価も表示する。図１７に示す例では、購買点数の実績値および予測値の目盛りを左側、売価の目盛りを右側としている。
【００８７】
また、図１７に示すように、グラフ表示画面８０は、選択された単品の実績値を表す棒グラフにおいて選択された期間の最大値を灰色で表示する。このように表示することにより、選択期間における実績値の比較が容易になる。
【００８８】
図１６に戻り、グラフ表示部１１５は、図１７に示すようなグラフ表示画面８０を需要予測設定画面５０に表示した状態で、予測内容選択エリア８１、実績／予測表示選択エリア８２、売価表示チェックボックス８３に対する操作に待機する（ステップＳ２４）。
【００８９】
グラフ表示部１１５は、予測内容選択エリア８１、実績／予測表示選択エリア８２、売価表示チェックボックス８３のいずれかに対する操作があったと判断すると（ステップＳ２４のＹｅｓ）、操作に応じてグラフ表示画面８０のグラフ表示エリア８４の表示内容を変更する（ステップＳ２５）。以下において、表示内容の変更例について説明する。
【００９０】
図１８は、需要予測設定画面５０におけるグラフ表示画面８０の他の一例を示す正面図である。図１８に示すように、グラフ表示画面８０は、売価表示チェックボックス８３のチェックが外された場合、売価を非表示状態にする。
【００９１】
図１９は、需要予測設定画面５０におけるグラフ表示画面８０の他の一例を示す正面図である。図１９に示すように、図１８に示した状態からグラフ表示画面８０の予測内容選択エリア８１で更新利益ボタン８１３が選択された場合には、グラフ表示画面８０は、選択された単品の利益金額についての実績値と過去の予測値とをグラフ表示エリア８４においてグラフ表示する。
【００９２】
図２０は、需要予測設定画面５０におけるグラフ表示画面８０の他の一例を示す正面図である。図２０に示すように、図１８に示した状態からグラフ表示画面８０の実績／予測表示選択エリア８２で予測ボタン８２３が選択された場合には、グラフ表示画面８０は、選択された単品の購買点数についての過去の予測値と売価とをグラフ表示エリア８４においてグラフ表示し、実績値については非表示としている。
【００９３】
次に、グラフ表示画面８０の初期画面の変形例について説明する。図２１は需要予測設定画面５０におけるグラフ表示画面８０の他の一例を示す正面図である。ステップＳ２１でグラフ表示の対象として複数の単品の特売データが選択された場合には、図２１に示すように、グラフ表示画面８０の初期画面は、選択された単品の実績値と選択された単品の予測値とのいずれも折れ線グラフでグラフ表示エリア８４に表示する。このようにしたのは、２単品以上を選択した場合には棒グラフでは見づらくなるためである。また、ステップＳ２１でグラフ表示の対象として複数の単品の特売データが選択された場合には、図２１に示すように、グラフ表示画面８０の初期画面は、売価表示チェックボックス８３をグレイアウトさせ、売価表示を選択できない状態にする。
【００９４】
このように本実施形態によれば、商品の購買に係る各種項目を含む商品データを表示するデータ表示エリア５３を有している需要予測設定画面５０を本部特売企画端末１２４や店舗発注端末１２５に表示させて入力を受け付ける入力受付部１１４が、データ表示エリア５３に表示される商品データにおける購買に係る項目について実績値と過去の予測値とをグラフ化して表示するようにした。これにより、データ表示エリアに表示される商品データにおける購買に係る項目について実績値と過去の予測値との差分状況を容易に判別することができるので、良好な操作環境を提供することができる。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
５０      編集画面
５２      データ選択エリア
５３      データ表示エリア
１００    データ編集装置
１１２    データ集計手段
１１３    予測算出手段
１１４    入力受付手段
１１５    グラフ表示手段
１２４，１２５    外部装置
【先行技術文献】
【特許文献】
【００９７】
【特許文献１】特開２００４−３３４３２６号公報
【図１】
2014153885.tif 000003
【図２】
2014153885.tif 000004
【図３】
2014153885.tif 000005
【図４】
2014153885.tif 000006
【図５】
2014153885.tif 000007
【図６】
2014153885.tif 000008
【図７】
2014153885.tif 000009
【図８】
2014153885.tif 000010
【図９】
2014153885.tif 000011
【図１０】
2014153885.tif 000012
【図１１】
2014153885.tif 000013
【図１２】
2014153885.tif 000014
【図１３】
2014153885.tif 000015
【図１４】
2014153885.tif 000016
【図１５】
2014153885.tif 000017
【図１６】
2014153885.tif 000018
【図１７】
2014153885.tif 000019
【図１８】
2014153885.tif 000020
【図１９】
2014153885.tif 000021
【図２０】
2014153885.tif 000022
【図２１】
2014153885.tif 000023